(57)【要約】【課題】内装用表皮材において、表面が染料で染色された表皮から、この表皮に近接させて配設される他の表皮への色移り（他の表皮の表面への染料の侵食）を抑制する。【解決手段】内装用表皮材１は、表面が染料で染色された第一表皮２と、第一表皮２に近接させて配設される第二表皮３と、を備える。内装用表皮材１は、第一表皮２と第二表皮３との境い目５に配設され、第一表皮２から第二表皮３への色移りを抑制するための色移り抑制部材４をさらに備える。【選択図】図１
2019094591.tif 000002
【特許請求の範囲】
【請求項１】
表面が染料で染色された第一表皮と、
前記第一表皮に近接させて配設される第二表皮と、
前記第一表皮と前記第二表皮との境い目に配設され、前記第一表皮から前記第二表皮への色移りを抑制するための色移り抑制部材と、を備える
ことを特徴とする内装用表皮材。
【請求項２】
前記色移り抑制部材の表面色は、前記染料の色と同系色であることを特徴とする請求項１に記載の内装用表皮材。
【請求項３】
前記色移り抑制部材の表面色は、前記染料の色よりも濃いことを特徴とする請求項２に記載の内装用表皮材。
【請求項４】
前記色移り抑制部材は、前記染料を吸着する物質を含有することを特徴とする請求項１から３のいずれか一項に記載の内装用表皮材。
【請求項５】
前記第一表皮は、表面に繊維を有するスエード調皮革により構成され、
前記色移り抑制部材は、本革又は合成皮革により構成される
ことを特徴とする請求項１から４のいずれか一項に記載の内装用表皮材。
【請求項６】
前記第一表皮の表面は、前記繊維の内部に前記染料が留まることにより染色されていることを特徴とする請求項５に記載の内装用表皮材。
【請求項７】
前記第一表皮及び前記第二表皮は、前記色移り抑制部材を挟んで縫い合わされていることを特徴とする請求項１から６のいずれか一項に記載の内装用表皮材。
【請求項８】
前記色移り抑制部材の前記第一表皮との接点から前記色移り抑制部材の前記第二表皮との接点までの前記色移り抑制部材の周長は、前記第一表皮と前記第二表皮が直接接していた場合に経年劣化により前記第一表皮から前記第二表皮へ色移りする距離よりも長いことを特徴とする請求項１から７のいずれか一項に記載の内装用表皮材。
【発明の詳細な説明】
【技術分野】
【０００１】
本発明は、内装用表皮材に関する。
【背景技術】
【０００２】
従来から、いわゆるスエード調皮革を表皮として用いた内装用表皮材が公知である（例えば、特許文献１参照）。
【０００３】
特許文献１は、スエード調の柔らかな風合を有し、車両用途に適した摩耗耐久性とホコリ付着防止性を有するスエード調車両用表皮材を提供することを課題としている。
【先行技術文献】
【特許文献】
【０００４】
【特許文献１】特開２００７−２３７０号公報
【発明の概要】
【発明が解決しようとする課題】
【０００５】
スエード調皮革を内装用表皮材の表皮として用いる場合、経年劣化により、スエード調皮革に近接させて配設される他の表皮への色移りが発生し得るという懸念がある。
【０００６】
そこで、本発明は、内装用表皮材において、近接させて配設される表皮間の色移りを抑制することを目的とする。
【課題を解決するための手段】
【０００７】
本発明に係る内装用表皮材は、互いに近接させて配設される第一表皮及び第二表皮を備える。第一表皮と第二表皮との境い目に、第一表皮から第二表皮への色移りを抑制するための色移り抑制部材が配設される。
【発明の効果】
【０００８】
本発明に係る内装用表皮材によれば、近接させて配設される表皮間の色移りを抑制することができる。
【図面の簡単な説明】
【０００９】
【図１】本発明の実施形態に係る内装用表皮材の部分拡大図である。
【図２】図１のＡ−Ａ線断面図である。
【図３Ａ】色移り抑制部材による色移り抑制の仕組みを説明するための説明図である。
【図３Ｂ】色移り抑制部材による色移り抑制の仕組みを説明するための説明図である。
【図３Ｃ】色移り抑制部材による色移り抑制の仕組みを説明するための説明図である。
【図３Ｄ】色移り抑制部材による色移り抑制の仕組みを説明するための説明図である。
【発明を実施するための形態】
【００１０】
以下、本発明の実施形態を図面と共に詳述する。
【００１１】
本実施形態に係る内装用表皮材は、例えば、車両のインストルメントパネル、コンソールボックス、ドアパネル等に用いられる車両用の内装用表皮材である。
【００１２】
図１及び図２に示すように、本実施形態に係る内装用表皮材１は、互いに近接させて配設される第一表皮２及び第二表皮３を備えている。互いに近接させて配設される第一表皮２と第二表皮３との間の色移りを抑制することを目的として色移り抑制部材４が、第一表皮２と第二表皮３との境い目５に配設されている。
【００１３】
第一表皮２は、表面が染料で染色されたものである。第一表皮２は、例えば、表面に極細繊維（ポリエステル繊維）を有するスエード調皮革により構成される。図示はしないが、第一表皮２の表面においては、極細繊維が絡み合っている。スエード調皮革により構成される第一表皮２の表面は、極細繊維の内部に染料が留まることにより染色されている。なお、第一表皮２を染色する方法は、従来公知の方法から適宜に選択することが可能である。
【００１４】
第一表皮２を染色する方法の一例を簡潔に説明する。先ず、第一表皮２の表面のポリエステル繊維を、染料を含有する染色液に浸ける。次いで、ポリエステルのガラス転移点よりも高い所定の温度、及び、所定の圧力を、第一表皮２の表面のポリエステル繊維に加える。このようにすることにより、染料の分子が、ポリエステル繊維の非晶部分の隙間から内部に入り込んでいき、ポリエステル繊維の内部に留まることになる。
【００１５】
本実施形態では、第一表皮２の表面色は、暗色系の色により構成されており、より具体的には、青色である。この第一表皮２の表面色は、内装用表皮材１の意匠性や、第二表皮３の表面色との色の組み合わせ等を考慮して適宜に選択することが可能である。
【００１６】
第二表皮３は、第一表皮２に近接させて配設されるものである。第二表皮３は、例えば、本革、又は、ＰＶＣ（塩化ビニル樹脂）等の合成皮革により構成される。一般的な本革又は合成皮革により構成される第二表皮３には、柔軟性及び耐候性等を高めることを目的として可塑剤が添加されている。この可塑剤は、第一表皮２の染色に用いられる染料を吸着する性質を有している。すなわち、第二表皮３は、染料を吸着する物質を含有している。
【００１７】
第二表皮３の表面色は、例えば、第一表皮２の表面色と比較してコントラスト（色自体や色の明度等の差）が比較的大きい色により構成される。要するに、第二表皮３の表面色は、第一表皮２の染料が第二表皮３に色移りした場合に内装用表皮材１の外観（美感）へ与える影響があるか、或いは影響が大きい色であるといえる。本実施形態では、第二表皮３の表面色は、明色系の色により構成されており、より具体的には、白色である。この第二表皮３の表面色も、内装用表皮材１の意匠性や、第二表皮３の表面色との色の組み合わせ等を考慮して適宜に選択することが可能である。
【００１８】
色移り抑制部材（第三表皮）４は、第一表皮２から第二表皮３への色移りを抑制するためのものである。色移り抑制部材４は、例えば、本革、又は、ＰＶＣ（塩化ビニル樹脂）等の合成皮革により構成される。一般的な本革又は合成皮革により構成される色移り抑制部材４には、柔軟性及び耐候性等を高めることを目的として可塑剤が添加されている。この可塑剤は、第一表皮２の染色に用いられる染料を吸着する性質を有している。すなわち、色移り抑制部材４は、染料を吸着する物質を含有している。
【００１９】
色移り抑制部材４の表面色は、例えば、第一表皮２の染色に用いられる染料の色と同系色で構成される。より望ましくは、色移り抑制部材４の表面色は、第一表皮２の染色に用いられる染料の色よりも濃い色により構成される。要するに、色移り抑制部材４の表面色は、第一表皮２の染料が色移り抑制部材４に色移りした場合に内装用表皮材１の外観（美感）へ与える影響がほとんどないか、或いは影響が小さい色であることが望ましい。本実施形態では、色移り抑制部材４の表面色は、濃暗色系の色により構成されており、より具体的には、濃紺色である。そして、本革又は合成皮革により構成される色移り抑制部材４は、逆Ｕ字形状に折り曲げられた状態で第一表皮２と第二表皮３との境い目５に配設される（図２参照）。
【００２０】
本実施形態では、第一表皮２及び第二表皮３は、逆Ｕ字形状に折り曲げられた色移り抑制部材（第三表皮）４を間に挟んで縫合部６（図２参照）により縫い合わされている。しかしながら、第一表皮２と第二表皮３と色移り抑制部材４とを相互に接合する方法は、縫い合わせによるものに限定はされず、種々の接合方法から適宜に選択することが可能である。
【００２１】
色移り抑制部材４の第一表皮２との接点Ｐ１から色移り抑制部材４の第二表皮３との接点Ｐ２までの色移り抑制部材４の周長Ｄ１は、第一表皮２が第二表皮３に直接接していた場合の経年劣化による染料の侵食量Ｄ２よりも長い（Ｄ１＞Ｄ２）（図３Ｄ参照）。すなわち、色移り抑制部材４における周長（表面上の距離）Ｄ１は、第一表皮２が第二表皮３に直接接していた場合に経年劣化により第一表皮２から第二表皮３へ色移りする距離（侵食量）Ｄ２に応じて決定するようにするものである。この周長Ｄ１は、例えば、３ｍｍ〜４ｍｍ程度である。
【００２２】
なお、第一表皮２と第二表皮３との間の直線距離、すなわち色移り抑制部材４の幅寸法Ｗは、比較的狭いことが望ましく、例えば、２ｍｍ〜３ｍｍ程度であるものとする。また、色移り抑制部材４を逆Ｕ字形状に折り曲げた状態で第一表皮２と第二表皮３との境い目５に配設することにより、色移り抑制部材４における周長（表面上の距離）Ｄ１を幅寸法Ｗよりも大きく確保することができる（Ｄ１＞Ｗ）。
【００２３】
次に、色移り抑制部材４による色移り抑制の仕組みを図３Ａから図３Ｄに基づいて説明する。
【００２４】
図３Ａから図３Ｄは、第一表皮２、第二表皮３及び色移り抑制部材４の断面（図２参照）や、染料分子及び可塑剤の動きを模式的に表示したものである。図３Ａから図３Ｄにおいて、符号７は第一表皮２の内部の染料分子を示し、符号８は色移り抑制部材４の内部に含有される可塑剤を示し、符号９は第二表皮３の内部に含有される可塑剤を示している。
【００２５】
図２において、内装用表皮材１（第一表皮２、第二表皮３及び色移り抑制部材４）の表面は凹凸の形状を有している。これに対して、図３Ａから図３Ｄにおいては、第一表皮２等の表面を伝って移動する染料分子７を説明するために、内装用表皮材１（第一表皮２、第二表皮３及び色移り抑制部材４）の表面を一直線上に引き延ばして模式的に表示している。また、図３Ｂから図３Ｄにおいては、染料分子７及び可塑剤８、９の実際の動きを示しているものではない。
【００２６】
図３Ａに示すように、通常の状態では、染料分子７は第一表皮２の表面の極細繊維に定着しており、極細繊維の内部に留まっている。その一方で、可塑剤８，９は色移り抑制部材４及び第二表皮３の内部にそれぞれ含有されている。
【００２７】
図３Ｂに示すように、径年劣化（熱老化）により、第一表皮２の表面の極細繊維と染料分子７との分子間力が弱まり、染料分子７が活性化して不規則に運動をすることが推測される。その一方で、経年劣化（熱老化）により、色移り抑制部材４及び第二表皮３の内部の可塑剤８，９はそれぞれ、色移り抑制部材４及び第二表皮３の表面側に移行して、色移り抑制部材４及び第二表皮３の表面から湧き出す（ブリード）ことが推測される。
【００２８】
図３Ｃに示すように、染料分子７が色移り抑制部材４の表面の可塑剤８に引張られて第一表皮２の表面を伝って移動し、第一表皮２と色移り抑制部材４の接点Ｐ１において、色移り抑制部材４の表面の可塑剤８が染料分子７と接触して染料分子７を吸着する。すなわち、染料分子７は、接点Ｐ１において第一表皮２から色移り抑制部材４へと侵食する。
【００２９】
図３Ｄに示すように、染料分子７は、色移り抑制部材４の表面を伝って移動し、色移り抑制部材４の表面の可塑剤８に吸着される。色移り抑制部材４が第一表皮２と第二表皮３との間に介在しているため、染料分子７が第一表皮２から第二表皮３へと直接侵食することはない。すなわち、染料分子７の侵食は色移り抑制部材４までに制限されるため、染料分子７が色移り抑制部材４を越えて第二表皮３へと侵食することはない。
【００３０】
要するに、本実施形態の色移り抑制部材４は、第一表皮２から第二表皮３への染料分子７の侵食を規制する規制部材（ストッパー）として機能するものであるといえる。
【００３１】
以下に、本実施形態による作用効果を説明する。
【００３２】
（１）本実施形態に係る内装用表皮材１は、表面が染料で染色された第一表皮２と、第一表皮２に近接させて配設される第二表皮３と、を備える。第一表皮２と第二表皮３との境い目５に、第一表皮２から第二表皮３への色移りを抑制するための色移り抑制部材４が配設される。
【００３３】
色移り抑制部材４が第一表皮２から第二表皮３への染料分子７の侵食を規制する規制部材として機能するため、第一表皮２から第二表皮３への色移りを抑制することが可能になる。すなわち、色移り抑制部材４が第一表皮２と第二表皮３との間に介在しているため、第一表皮２の表面の染料が第一表皮２から第二表皮３へと直接侵食することがない。
【００３４】
従って、本実施形態に係る内装用表皮材１によれば、近接させて配設される表皮間の色移りを抑制することができる。
【００３５】
（２）色移り抑制部材４の表面色は、第一表皮２の染料の色と同系色である。
【００３６】
このように色移り抑制部材４の表面色を構成することにより、第一表皮２の染料が色移り抑制部材４に色移りした場合に内装用表皮材１に与える影響を小さくすることが可能になる。
【００３７】
（３）色移り抑制部材４の表面色は、第一表皮２の染料の色よりも濃い。
【００３８】
このように色移り抑制部材４の表面色を構成することにより、第一表皮２の染料が色移り抑制部材４に色移りした場合に内装用表皮材１に与える影響をより小さくすることが可能になる。
【００３９】
（４）色移り抑制部材４は、第一表皮２の染料を吸着する物質を含有する。
【００４０】
このように色移り抑制部材４の材質を構成することにより、色移り抑制部材４が第一表皮２から第二表皮３への染料分子７の侵食を規制する規制部材として機能するようにすることが可能になる。
【００４１】
（５）第一表皮２は、表面に繊維を有するスエード調皮革により構成され、色移り抑制部材４は、本革又は合成皮革により構成される。
【００４２】
一般的に本革又は合成皮革は柔軟性及び耐候性等を高めることを目的として可塑剤が添加されており、この可塑剤が第一表皮２の染色に用いられる染料を吸着する性質を有している。
【００４３】
（６）第一表皮２の表面は、繊維の内部に染料が留まることにより染色されている。
【００４４】
径年劣化（熱老化）により、第一表皮２の表面の繊維と染料分子７との分子間力が弱まり、染料分子７が活性化して不規則に運動をすることが推測されるが、第一表皮２から第二表皮３への色移りは色移り抑制部材４により抑制することが可能である。
【００４５】
（７）第一表皮２及び第二表皮３は、色移り抑制部材４を挟んで縫い合わされている。
【００４６】
このように第一表皮２及び第二表皮３を縫い合わせることにより、色移り抑制部材４を第一表皮２及び第二表皮３に対して保持させることが可能になる。
【００４７】
（８）色移り抑制部材４の第一表皮２との接点Ｐ１から色移り抑制部材４の第二表皮３との接点Ｐ２までの色移り抑制部材４の周長Ｄ１は、第一表皮２と第二表皮３が直接接していた場合に経年劣化により第一表皮２から第二表皮３へ色移りする距離Ｄ２よりも長い。
【００４８】
このように色移り抑制部材４の周長Ｄ１を構成することにより、第一表皮２から第二表皮３への色移りを抑制することが可能になる。
【００４９】
ところで、本発明の内装用表皮材は前述の実施形態に例をとって説明したが、この実施形態に限ることなく本発明の要旨を逸脱しない範囲で他の実施形態を各種採用することができる。
【符号の説明】
【００５０】
１  内装用表皮材
２  第一表皮
３  第二表皮
４  色移り抑制部材
５  第一表皮と第二表皮との境い目
Ｄ１  色移り抑制部材における接点間の周長（表面上の距離）
Ｄ２  経年劣化により色移りする距離（侵食量）
Ｐ１  色移り抑制部材の第一表皮との接点
Ｐ２  色移り抑制部材の第二表皮との接点
【図１】
2019094591.tif 000003
【図２】
2019094591.tif 000004
【図３Ａ】
2019094591.tif 000005
【図３Ｂ】
2019094591.tif 000006
【図３Ｃ】
2019094591.tif 000007
【図３Ｄ】
2019094591.tif 000008